(57)【要約】【課題】  情報を記入した葉書本体片を隠蔽用紙片で隠蔽する際に、貼り位置ズレが発生しても、粘着面がはみ出して露出することない、また、受取人が再開封し易い隠蔽葉書を提供するものである。【解決手段】  基紙の略中央に設けられた折目線を介して、葉書本体片と隠蔽用紙片とが連接され、前記隠蔽用紙片上に、前記折目線にて二つ折りされ内側となる面に再剥離再貼付粘着剤層を介して、剥離紙が重ねられた葉書において、前記隠蔽用紙片の寸法が葉書本体片寸法より小さくされているとともに、前記隠蔽用紙片の前記折目線にて二つ折りされ外側となる面に、一部もしくは全面に、印刷を施すことを特徴とする隠蔽葉書。【選択図】        図１
2006263993.tif 000002
【特許請求の範囲】
【請求項１】
基紙の略中央に設けられた折目線を介して、葉書本体片と隠蔽用紙片とが連接され、前記隠蔽用紙片上に、前記折目線にて二つ折りされ内側となる面に再剥離再貼付粘着剤層を介して、剥離紙が重ねられた葉書において、前記隠蔽用紙片の寸法が葉書本体片寸法より小さくされていることを特徴とする隠蔽葉書。
【請求項２】
前記隠蔽用紙片の前記折目線にて二つ折りされ外側となる面に、一部もしくは全面に、印刷を施すことを特徴とする請求項１に記載の隠蔽葉書。
【発明の詳細な説明】
【技術分野】
【０００１】
本発明は、記載された内容の秘密保持を可能とした隠蔽葉書に関し、特に、葉書の送信人の葉書の隠蔽動作及び郵送された葉書の受取人の開封動作について利便性のよい隠蔽葉書に関するものである。
【背景技術】
【０００２】
従来の他人が通知情報を視認できないようにした隠蔽式の葉書としては、同サイズの葉書本体片並びに隠蔽用紙片が折畳み可能に接合されており、前記葉書本体片の内面に所定事項を記入する記入欄が設定されていると共に、隠蔽用紙片の内面に再剥離粘着剤が塗布され、その表面に剥離紙が貼着されていることを特徴とする隠蔽式葉書等が実施されている（例えば、特許文献１参照）。
【０００３】
しかしながら、上記の特許文献１に開示された隠蔽葉書は、葉書本体片に記入された情報を隠蔽状態にするために、剥離紙を剥離して、粘着剤層を露出させ、その後、折り用ミシンで折畳み葉書本体片に記入された情報を隠蔽して郵送されるものであり、隠蔽する際に、葉書本体片と略同サイズの隠蔽用紙片の全面に設けられた粘着剤層面を情報を記入した葉書本体片に折畳みながら隠蔽するときに、折り曲がり等により、隠蔽用紙片と葉書本体片との貼り位置ズレが起こり、粘着剤が露出した状態になる部分が発生する場合がある。このような隠蔽葉書は、例えば、郵便局で郵便区分け機などの機械処理がされると、露出した粘着剤面が他の郵便物に粘着しトラブルとなったり、著しい場合には、郵便物の重送などのトラブルになるという問題がある。
【特許文献１】特開平７−２１４９４７号公報
【発明の開示】
【発明が解決しようとする課題】
【０００４】
本発明は、上記のような従来の問題点に鑑み、情報を記入した葉書本体片を隠蔽用紙片で隠蔽する際に、貼り位置ズレが発生しても、粘着面がはみ出して露出することがなく、また、受取人が開封し易い隠蔽葉書を提供するものである。
【課題を解決するための手段】
【０００５】
上記課題を解決するために、請求項１記載の本発明は、基紙の略中央に設けられた折目線を介して、葉書本体片と隠蔽用紙片とが連接され、前記隠蔽用紙片上に、前記折目線にて二つ折りされ内側となる面に再剥離再貼付粘着剤層を介して、剥離紙が重ねられた葉書において、前記隠蔽用紙片の寸法が葉書本体片寸法より小さくされていることを特徴とするものである。
【０００６】
請求項２記載の本発明は、前記隠蔽用紙片の前記折目線にて二つ折りされ外側となる面に、一部もしくは全面に、印刷を施すことを特徴とするものである。
【発明の効果】
【０００７】
本発明の隠蔽葉書は、隠蔽用紙片の寸法が葉書本体片より、小さいために、情報記入された葉書本体片を略中央に設けた折目線で二つ折りして隠蔽用紙片で隠蔽する際に、折り曲がり等が発生しても、隠蔽用紙片に設けられている粘着剤が露出した状態にならず、したがって、例えば、郵便局で郵便区分け機などで機械処理しても重送などのトラブルが防止できるという効果を奏する。
【０００８】
また、隠蔽用紙片の寸法が葉書本体片よりも、小さいために、受取人は開封時に、開封が容易になるという効果を有する。
【０００９】
また、隠蔽用紙片の前記折目線にて二つ折りされ外側となる面に、一部もしくは全面に、印刷を施すことにより隠蔽用紙片の隠蔽性が増し、機密性の向上が図れるという効果を有する。
【発明を実施するための最良の形態】
【００１０】
以下図面を用いて、本発明の実施形態について説明する。
図１は、本発明の隠蔽葉書の一実施形態の剥離紙の一部を剥離させた状態を示す斜視図、図２は、本発明の隠蔽葉書の葉書本体片宛名欄側から見た平面図、図３は、図１のＡ−Ａ線断面図、図４及び図５は、本発明の隠蔽葉書の使用方法を説明する図であり、図４は、葉書本体片と隠蔽用紙片とを接着させる状態を示す説明図であり、図５は、葉書本体片と隠蔽用紙片とを切離す状態を示す説明図である
【００１１】
図１に示すように本発明の隠蔽葉書１は、基紙２の略中央に設けられたミシン目３（折目線に対応）を介して、葉書本体片１０とミシン目３に平行な辺となる縦と、ミシン目３に直交する辺となる横の寸法が該葉書本体片１０よりもともに、短い寸法の隠蔽用紙片２０とが折畳み可能に連接されている。
【００１２】
そして、葉書本体片１０の上面には、情報記入欄１１が設けられている。また、隠蔽用紙片２０の上面には、再剥離再貼付粘着剤層２１を介して、剥離紙２２が剥離可能に貼付され、剥離紙２２の表面には隠蔽葉書１の使用説明や記入例等のユーザーへの情報等が印刷されていることが望ましい
【００１３】
図２に示すように、葉書本体片１０の下面には郵便番号欄１２や宛名欄１３が印刷されており、また、隠蔽用紙片２０の下面には、第三者に情報記入欄１１に記入された内容が透けて読み取られないように、例えば、地紋印刷２３等が一部もしくは全面に施されている。該地紋印刷２３を設ける目的は第三者に読み取られないことであり、葉書本体片１０の情報記入欄１１に記入された部分が一部であれば、その部分が隠蔽できればよく、地紋印刷２３は一部でもよい。前記の趣旨から地紋印刷に拘らず、ベタ柄印刷にすることもできる。
【００１４】
次に、図３を参照して、本発明の隠蔽葉書１の各層に使用される材料を説明する。まず、基紙２には上質紙、カード紙、コート紙、クレーコート紙、板紙、コートボール紙、合成紙、再生紙等が使用でき、坪量および大きさは、日本郵政公社が郵便法の規定に基づき定める「内国郵便約款」の範囲で任意に選定できる。次に、剥離紙２２には上質紙、クラフト紙、コート紙、グラシン紙、再生紙等が使用でき、さらに、少なくとも前記再剥離再貼付粘着剤層２１と接する側の面にシリコン系あるいはアクリル系樹脂等が印刷あるいはコートされてなる剥離層が設けられている。また、基紙２の略中央に設けられたミシン目３を介して隠蔽用紙片２０の上面には、再剥離再貼付粘着剤層２１が設けられている。該再剥離再貼付粘着剤層２１に使用される再剥離再貼付粘着剤は、密着面の密着及び再剥離を容易にするように調整されており、バインダー成分と粘着性微球成分等が混合されている。バインダー成分は、アクリルエマルジョン型粘着剤等が用いられ、粘着性微球成分には、大きさが１０〜１５０μｍの微粒子状でメタアクリル酸エステル等の材質が使用される。
【００１５】
次に、図４、５を用いて本発明の実施形態に係る隠蔽葉書を使用する手順について説明する。まず、隠蔽葉書１の利用者は、図１に示すように、葉書本体片１０の上面に設けられた情報記入欄１１に個人情報等の必要事項を記入し、必要に応じて、葉書本体片１０の下面に設けられた宛先欄１３（図３参照）を記入する。次に、剥離紙２２の一端部を指で掴み剥離紙２２を剥離し、再剥離再貼付粘着剤層２１を露出させる。その後、ミシン目３から隠蔽用紙片２０を折畳んで、図４に示すように、再剥離再貼付粘着剤層２１の面を葉書本体片１０の上面に設けられた情報記入欄１１に重ね合わせて接着することにより情報記入欄１１が隠蔽される。そして、単体葉書として投函すればよい。
【００１６】
次に、この葉書を受け取った受取人は、葉書本体片１０と隠蔽用紙片２０とを剥がして見開き状態にした後、図５に示すように葉書本体片１０と隠蔽用紙片２０とをミシン目３に沿って切りはなす。なお、ミシン目３は折罫線等の折目線であってもよい。
【産業上の利用可能性】
【００１７】
口座振替依頼書、通信販売申込書等の親展通知情報を伴う通信媒体に利用できる。
【図面の簡単な説明】
【００１８】
【図１】本発明の隠蔽葉書の第一実施形態を示す斜視図。
【図２】本発明の隠蔽葉書の葉書本体片宛名欄側から見た平面図。
【図３】図１のＡ−Ａ線断面図。
【図４】葉書本体片と隠蔽用紙片とを接着させる状態を示す説明図。
【図５】葉書本体片と隠蔽用紙片とを切離す状態を示す説明図。
【符号の説明】
【００１９】
１                                    隠蔽葉書
２                                    基紙
３                                    ミシン目
１０                                    葉書本体片
１１                                    情報記入欄
１２                                    郵便番号欄
１３                                    宛名欄
２０                                    隠蔽用紙片
２１                                    再剥離再貼付粘着剤層
２２                                    剥離紙
２３                                    地紋印刷
【図１】
2006263993.tif 000003
【図２】
2006263993.tif 000004
【図３】
2006263993.tif 000005
【図４】
2006263993.tif 000006
【図５】
2006263993.tif 000007